(57)【特許請求の範囲】
【請求項１】
一個のハウジング（１）、一個のファンモジュール（２）および一個の発光ダイオード（３）を有するＬＥＤランプにおいて、ハウジング（１）の一端には一個の組立口（１１）が設けられ、他端には一個の電気連接部（１２）が設けられ、ハウジング（２）が組立口（１１）に隣接する内側の周壁は一個の導風壁（１３）からなり、ファンモジュール（２）はハウジング（１）の組立口（１１）に結合され、ファンモジュール（２）とハウジング（１）の組立口（１１）と導風壁（１３）の間には少なくとも一個の風道（４）が形成され、ファンモジュール（２）には一個の導風口（２２１ａ）が設けられ、導風口（２２１ａ）はハウジング（１）の内部まで連通するように形成され、発光ダイオード（３）はファンモジュール（２）に結合され、風道（４）は径方向風進入口または径方向風排出口からなり、導風口（２２１ａ）は風道（４）に対応するように設けられた径方向風排出口または径方向風進入口からなるように形成されることを特徴とするＬＥＤランプ。
【請求項２】
ファンモジュール（２）には一個の放熱器（２１）と一個の放熱ファン（２２）が含まれ、放熱ファン（２２）は放熱器（２１）に結合されることを特徴とする請求項１に記載のＬＥＤランプ。
【請求項３】
ファンモジュール（２）には一個の軸方向基準線（Ｌ）が定義され、ファンモジュール（２）の放熱ファン（２２）には一個のファンフレーム（２２１）が含まれ、ファンフレーム（２２１）の内部には一個のファンホイール（２２２）が設けられ、ファンフレーム（２２１）の底端縁には一個の径方向延伸部（２２３）が形成され、風道（４）は径方向延伸部（２２３）とハウジング（１）の組立口（１１）および導風壁（１３）の間に形成され、径方向延伸部（２２３）と放熱器（２１）の間には導風口（２２１ａ）が形成されることを特徴とする請求項２に記載のＬＥＤランプ。
【請求項４】
径方向延伸部（２２３）はファンモジュール（２）の軸方向基準線（Ｌ）の径方向に向かって延伸するように形成されることを特徴とする請求項３に記載のＬＥＤランプ。
【請求項５】
ＬＥＤランプには他に一個の透光カバー（５）が設けられ、透光カバー（５）はファンモジュール（２）に結合され、発光ダイオード（３）は透光カバー（５）の内部に収容されることを特徴とする請求項１、２、３または４に記載のＬＥＤランプ。
【請求項６】
透光カバー（５）はファンモジュール（２）に結合され、ハウジング（１）の組立口（１１）および導風壁（１３）の間と共同して風道（４）を形成することを特徴とする請求項５に記載のＬＥＤランプ。
【請求項７】
一個のハウジング（１）、一個のファンモジュール（２）および一個の発光ダイオード（３）を有するＬＥＤランプにおいて、ハウジング（１）の一端には一個の組立口（１１）が設けられ、他端には一個の電気連接部（１２）が設けられ、ハウジング（２）が組立口（１１）に隣接する内側の周壁は一個の導風壁（１３）からなり、ファンモジュール（２）はハウジング（１）の組立口（１１）に結合され、ファンモジュール（２）とハウジング（１）の組立口（１１）および導風壁（１３）の間には少なくとも一個の風道（４）が形成され、ファンモジュール（２）には一個の導風口（２２１ａ）が設けられ、導風口（２２１ａ）はハウジング（１）の内部まで連通するように形成され、発光ダイオード（３）はファンモジュール（２）に結合され、風道（４）は径方向風進入口または径方向風排出口からなり、導風口（２２１ａ）は風道（４）に対応するように軸方向風排出口または軸方向風進入口からなるように形成されることを特徴とするＬＥＤランプ。
【請求項８】
ファンモジュール（２）には一個の放熱器（２１）と一個の放熱ファン（２２）が含まれ、放熱ファン（２２）は放熱器（２１）に結合されることを特徴とする請求項７に記載のＬＥＤランプ。
【請求項９】
ファンモジュール（２）には一個の軸方向基準線（Ｌ）が定義され、ファンモジュール（２）の放熱ファン（２２）には一個のファンフレーム（２２１）が含まれ、ファンフレーム（２２１）の内部には一個のファンホイール（２２２）が設けられ、ファンフレーム（２２１）の底端縁には一個の径方向延伸部（２２３）が形成され、風道（４）は径方向延伸部（２２３）とハウジング（１）の組立口（１１）および導風壁（１３）の間に形成され、ファンフレーム（２２１）の内周面と放熱器（２１）の間には導風口（２２１ａ）が形成されることを特徴とする請求項８に記載のＬＥＤランプ。
【請求項１０】
径方向延伸部（２２３）はファンモジュール（２）の軸方向基準線（Ｌ）の径方向に向かって延伸するように形成されることを特徴とする請求項９に記載のＬＥＤランプ。
【請求項１１】
ＬＥＤランプには他に一個の透光カバー（５）が設けられ、透光カバー（５）はファンモジュール（２）に結合され、発光ダイオード（３）は透光カバー（５）の内部に収容されることを特徴とする請求項７、８、９または１０に記載のＬＥＤランプ。
【請求項１２】
透光カバー（５）はファンモジュール（２）に結合され、ハウジング（１）の組立口（１１）および導風壁（１３）の間と共同で風道（４）を形成することを特徴とする請求項１１に記載のＬＥＤランプ。
【発明の詳細な説明】
【技術分野】
【０００１】
本発明は、ＬＥＤランプに関するもので、特にファンモジュールを有するＬＥＤランプに係わるものである。
【背景技術】
【０００２】
従来の実施形態１のＬＥＤランプとしては、図４に示す従来の中華民国公告第Ｉ３１６１２１号の「灯具」を参照すると、従来のＬＥＤランプ８には一個のハウジング８１が含まれ、ハウジング８１は一個の第一ハウジング体８１１と一個の第二ハウジング体８１２により構成される。その内、第一ハウジング体８１１には一個の風排出部８１１ａと一個の風進入部８１２ａが設けられる。また、ハウジング８１の内部には一個の放熱器８２、一個の発光部材８３と一個の放熱ファン８４が設けられ、そして放熱器８２は発光部材８３と放熱ファン８４の間に位置するように形成される。これにより、放熱ファン８４が回転される時、外部の気流は風進入部８１２ａを経由して吸入され、そして気流を導引して放熱器８２を通過した後、風排出部８１１ａから再び外部へ吹き出されることにより、発光部材８３が作動時に生じられる熱エネルギーを低く抑えることができるようにしたものがある。
【０００３】
また、従来の実施形態２のＬＥＤランプとしては、例えば図５に示される中華民国公告第Ｍ３４６７４５号の「端向排熱式ＬＥＤ灯具」を参照すると、従来のＬＥＤランプ９には一個のハウジング９１、一個の放熱器９２、一個のファン９３および一個のＬＥＤランプユニット９４が含まれる。ハウジング９１は一個の上ハウジング９１１と一個の下ハウジング９１２により構成される。上ハウジング９１には複数個の通気孔９１１ａが設けられ、下ハウジング９２には一個の貫穿孔９２１ａが設けられる。放熱器９２はハウジング９１内に位置するとともに、下ハウジング９１２の貫穿孔９１２ａとの間に通気路９５を有するように形成される。ファン９３もハウジング９１内に位置するとともに、放熱器９２に結合される。ＬＥＤランプユニット９４は放熱器９２に結合される。これにより、ファン９３が運転される時、外部の空気をそれぞれの通気孔９１１ａを経由して吸入した後、通気路９５から貫穿孔９１２ａを経て再び外部へ排出することにより、ＬＥＤランプユニット９４から生じる熱エネルギーを駆動して排出することができるようにしたものがある。
【先行技術文献】
【特許文献】
【０００４】
【特許文献１】中華民国公告第Ｉ３１６１２１号
【特許文献２】中華民国公告第Ｍ３４６７４５号
【発明の概要】
【発明が解決しようとする課題】
【０００５】
上記の図４に掲示されるような従来の形態１のＬＥＤランプにおいては、一般的に次のような問題点を有している。従来のＬＥＤランプ８を実際に使用すると、ＬＥＤランプ８のハウジング８１が第一ハウジング体８１１と第二ハウジング体８１２によって組み合わせてなるものであるため、部材の数が増えてしまうだけでなく、全体的構造が相対的に複雑になるとともに、放熱器８２、発光部材８３および放熱ファン８４がハウジング８１内に被覆されるため、ハウジング８１には他に複数個の孔からなる風排出部８１１ａと風進入部８１２ａを設けなければならず、そのために加工が不便になるとともに、製造コストが高くなるという問題点があった。
【０００６】
また、装飾上における全体的な美観の需要性に応じて、従来のＬＥＤランプ８を装飾板の内部、例えば天井板などの場所に嵌入して内蔵させる場合、従来のＬＥＤランプ８における風排出部８１１ａと風進入部８１２ａはハウジング８１に設けられるため、風排出部８１１ａと風進入部８１２ａもまた装飾板の内部、いわゆる天井板の上方に埋め込まれ、そして発光部材８３だけが天井板の表面から露出することになる。しかし、天井板の上方と建物そのもののセメントの間の空間は一般的に密閉された空間に形成されており、外部の空気との循環は難くなり、そして空気の流通が悪くなるため、放熱効果に悪影響を及ぼし、さらに熱が溜まってしまうため、従来のＬＥＤランプ８の使用寿命に悪影響を与えてしまうという問題点があった。
【０００７】
また、上記の図５に掲示されるような従来の形態２のＬＥＤランプにおいては、一般的に次のような問題点を有している。従来のＬＥＤランプ９のハウジング９１は上ハウジング９１１と下ハウジング９１２により構成されるため、従来の形態１と同様に部材の数が増えてしまうばかりか、全体の構造は相対的に複雑になるという問題点があった。また、従来のＬＥＤランプ９の放熱器９２と貫穿孔９１２ａの間には通気路９５を有するように形成されるが、依然として上ハウジング９１１に複数個の通気孔９１１ａを設けなければならず、そのために従来のＬＥＤランプ９の構造においても同様に加工が不便になるとともに、製造コストが高くなるという問題点があった。さらに、従来のＬＥＤランプ９の構造においては、ＬＥＤランプ９を天井板に嵌入して隠して設置しなければならない場合、通気路９５は天井板の表面から露出しているが、それぞれの通気孔９１１ａは依然として天井板の上方に埋め込まれるため、空気の流通と放熱の効果が悪くなり、さらに熱が溜まってＬＥＤランプの使用寿命に悪影響を及ぼしてしまうという問題点があった。このように、上記のような従来のＬＥＤランプの構造をさらに改良しなければならない。
【０００８】
本発明はこのような問題点に鑑みて発明されたものであって、その主な目的とするところは、ハウジングにおいて他にいかなる風進入口または風排出口も設ける必要性がなく、それにより、構造の複雑性を有効に低く抑えることができ、さらに加工、製造が便利になるＬＥＤランプを提供することである。
【０００９】
本発明の第二の目的は、ハウジングにおいて他にいかなる風進入口または風排出口を設ける必要性がないため、その外観の統合性と美観性を維持することができるＬＥＤランプを提供することにある。
【００１０】
本発明の第三の目的は、嵌入内蔵式または埋め込み式で取り付けを行う場合、外部の空気がＬＥＤランプ内にスムースに進入することを確保することにより、全体の放熱効果を高めるとともに、正常な作動を確保することができるＬＥＤランプを提供することにある。
【課題を解決するための手段】
【００１１】
上記目的を達成するために、本発明によるＬＥＤランプは、一個のハウジング、一個のファンモジュールおよび一個の発光ダイオードを有する。ハウジングの一端には一個の組立口が設けられ、他端には一個の電気連接部が設けられる。ハウジングが組立口に隣接する内側の周壁は一個の導風壁からなる。ファンモジュールはハウジングの組立口に結合され、ファンモジュールとハウジングの組立口および導風壁の間には少なくとも一個の風道が形成される。ファンモジュールには一個の導風口が設けられ、導風口はハウジングの内部まで連通するように形成される。発光ダイオードはファンモジュールに結合される。風道は径方向風進入口または径方向風排出口からなり、導風口は風道に対応するように径方向風排出口または径方向風進入口からなるように形成される。
【００１２】
また、ファンモジュールには一個の放熱器と一個の放熱ファンが含まれ、放熱ファンは放熱器に結合されることもできる。また、ファンモジュールには一個の軸方向基準線が定義され、ファンモジュールの放熱ファンには一個のファンフレームが含まれ、ファンフレームの内部には一個のファンホイールが設けられ、ファンフレームの底端縁には一個の径方向延伸部が形成され、風道は径方向延伸部とハウジングの組立口および導風壁の間に形成され、径方向延伸部と放熱器の間には導風口が形成されることもできる。また、径方向延伸部はファンモジュールの軸方向基準線の径方向に向かって延伸するように形成されることもできる。また、ＬＥＤランプには他に一個の透光カバーが設けられ、透光カバーはファンモジュールに結合され、発光ダイオードは透光カバーの内部に収容されることもできる。また、透光カバーはファンモジュールに結合され、ハウジングの組立口および導風壁の間と共同で風道を形成することもできる。
【００１３】
また、同じ技術思想に基づいて、本発明によるＬＥＤランプは、一個のハウジング、一個のファンモジュールおよび一個の発光ダイオードを有する。ハウジングの一端には一個の組立口が設けられ、他端には一個の電気連接部が設けられる。ハウジングが組立口に隣接する内側の周壁は一個の導風壁からなる。ファンモジュールはハウジングの組立口に結合され、ファンモジュールとハウジングの組立口および導風壁の間には少なくとも一個の風道が形成される。ファンモジュールには一個の導風口が設けられ、導風口はハウジングの内部まで連通するように形成される。発光ダイオードはファンモジュールに結合される。風道は径方向風進入口または径方向風排出口からなり、導風口は風道に対応するように軸方向風排出口または軸方向風進入口からなるように形成される。
【００１４】
さらに、ファンモジュールには一個の放熱器と一個の放熱ファンが含まれ、放熱ファンは放熱器に結合されることもできる。また、ファンモジュールには一個の軸方向基準線が定義され、ファンモジュールの放熱ファンには一個のファンフレームが含まれ、ファンフレームの内部には一個のファンホイールが設けられ、ファンフレームの底端縁には一個の径方向延伸部が形成され、風道は径方向延伸部とハウジングの組立口および導風壁の間に形成され、ファンフレームの内周面と放熱器の間には導風口が形成されることもできる。また、径方向延伸部はファンモジュールの軸方向基準線の径方向に向かって延伸するように形成されることもできる。また、ＬＥＤランプには他に一個の透光カバーが設けられ、透光カバーはファンモジュールに結合され、発光ダイオードは透光カバーの内部に収容されることもできる。また、透光カバーはファンモジュールに結合され、ハウジングの組立口および導風壁の間と共同で風道を形成することもできる。
【発明の効果】
【００１５】
本発明のＬＥＤランプによれば、ハウジングにおいて他にいかなる風進入口または風排出口も設ける必要がないため、構造の複雑性を有効に低く抑えることができ、さらに加工、製造が便利になるという利点がある。
【００１６】
本発明のＬＥＤランプによれば、ハウジングにおいて他にいかなる風進入口または風排出口も設ける必要がないため、その外観の統合性と美観性を維持することができるという利点がある。
【００１７】
本発明のＬＥＤランプによれば、嵌入内蔵式または埋め込み式で取り付けを行う場合、外部の空気がＬＥＤランプにスムースに進入することを確保することにより、全体の放熱効果を高めるとともに、正常な作動を確保することができるという利点がある。
【図面の簡単な説明】
【００１８】
【図１】図１は、本発明のＬＥＤランプの「径方向風進入と径方向風排出」の実施形態の分解斜視図である。
【図２】図２は、本発明のＬＥＤランプの「径方向風進入と径方向風排出」の実施形態の組み立てられた状態の断面図である。
【図３】図３は、本発明のＬＥＤランプの「軸方向風進入と径方向風排出（または径方向風進入と軸方向風排出）」の実施形態の組み立てられた状態の断面図である。
【図４】図４は、従来の実施形態１のＬＥＤランプの組み立てられた状態の断面図である。
【図５】図５は、従来の実施形態２のＬＥＤランプの組み立てられた状態の断面図である。
【発明を実施するための形態】
【００１９】
本発明の実施の形態について、以下、図面を参照して説明する。
【００２０】
図１は本発明のＬＥＤランプの「径方向風進入と径方向風排出」の実施形態の分解斜視図で、図２は本発明のＬＥＤランプの「径方向風進入と径方向風排出」の実施形態の組み立てられた状態の断面図である。図１、２を参照すると、本発明のＬＥＤランプには少なくとも一個のハウジング１、一個のファンモジュール２および一個の発光ダイオード３が含まれる。ハウジング１はファンモジュール２を結合するのに用いられ、ファンモジュール２はハウジング１の内部に収容される。発光ダイオード３はファンモジュール２に結合される。
【００２１】
ハウジング１は一個の中空の円錐台形状のハウジング体からなり、ハウジング１の一端には一個の組立口１１が設けられ、他端には一個の電気連接部１２が設けられる。組立口１１はハウジング１の内部と連通するように形成されることにより、ファンモジュール２をスムースにハウジング１の内部に組み立てることができ、さらにハウジング１が組立口１１に隣接する内側の周壁は一個の導風壁１３からなる。そして電気連接部１２は各種の外部電源と電気的に接続することができる構造設計からなるため、本発明のＬＥＤランプの主な電源とすることができる。
【００２２】
ファンモジュール２はハウジング１の組立口１１を経由してハウジング１の内部に結合され、ファンモジュール２とハウジング１の導風壁１３の間には少なくとも一個の風道４が形成され、少なくとも一個の風道４を風進入口または風排出口として用いることができる。ファンモジュール２とハウジング１の結合方法としては例えば螺接、係止、粘着または熔接などを採用することができる。
【００２３】
より詳しく言うと、ファンモジュール２には一個の放熱器２１と一個の放熱ファン２２が含まれる。放熱器２１は伝熱可能な材質により製造される。放熱ファン２２は放熱器２１に結合される。放熱ファン２２は選択的に軸流式ファンまたは遠心式ファンからなることができ、好ましくは一個の軸流式ファンからなる。これにより、放熱ファン２２は放熱器２１と合わせて予定される放熱の効果を提供することができる。また、上述したファンモジュール２とハウジング１の導風壁１３の間に少なくとも一個の風道４を形成する技術思想に基づいて、ファンモジュール２においては選択的に放熱器２１または放熱ファン２２の外周面と導風壁１３の間を利用して風道４を形成することができる。
【００２４】
発光ダイオード３はファンモジュール２に結合され、ファンモジュール２によって発光ダイオード３が実際に作動する時の温度を低く下げることにより、よりよい放熱効果を獲得することができる。また、発光ダイオード３はハウジング１の電気連接部１２に電気的に接続されることにより、作動時の主要電源を供給することができる。
【００２５】
本発明のＬＥＤランプを実際に使用する時、例えば壁、天井板またはその他の照明を行おうとする場所に随意に取り付けることができる。例を挙げてみると、ＬＥＤランプのハウジング１を天井板の装飾板の上方に埋め込み、そしてハウジング１の組立口１１と発光ダイオード３だけを天井板の表面に露出させる。他に、組立口１１の導風壁１３とファンモジュール２が隣接する間には風道４が形成され、風道４も相対的に天井板の表面に露出されることにより、ファンモジュール２の放熱ファン２２が回動される時、風道４を利用して空気を導入したりまたは導出したりするため、発光ダイオード３から生じられる熱エネルギーを吹き散らすことができる。また、ハウジング１の電気連接部１２は一般的な電力供給システムと電気的に接続することができるため、発光ダイオード３まで電源を提供することにより、発光ダイオード３は通電されて発光することができる。
【００２６】
上述した構造的特徴によれば、本発明のＬＥＤランプの主な特徴は、ＬＥＤランプのハウジング１において直接組立口１１とファンモジュール２の両者間の構造の空間を利用して風道４として設計させることにより、本発明のＬＥＤランプのハウジング１にはいかなる風進入口または風排出口も設ける必要性がなく、全体的な構造の複雑性を有効に低く抑えることができ、さらに加工の利便性を高め、製造コストを低く抑えることができるとともに、外観の統合性と全体的な美観性を維持することができる。また、仮に本発明のＬＥＤランプを例えば嵌入内蔵式で天井板の装飾板などの場所に取り付ける時、風道４も合わせて天井板の表面に露出するように形成される。このように、ファンモジュール２によって空気をスムースに導入したり導出したりすることができるため、ＬＥＤランプ全体の放熱効果を高めることができるとともに、本発明のＬＥＤランプの使用寿命を有効に高めることができる。
【００２７】
上述した本発明のＬＥＤランプの構造の設計思想に基づいて、本発明のＬＥＤランプのハウジング１とファンモジュール２の間には風道４の設計に合わせるように、さらに進んで「径方向風進入と径方向風排出」、「軸方向風進入と径方向風排出（または径方向風進入と軸方向風排出）」などの複数の実施形態を設計することができる。
【００２８】
図２は本発明のＬＥＤランプの「径方向風進入と径方向風排出」における実施形態の組み立てられた状態の断面図である。図２を参照すると、本実施形態においてファンモジュール２には一個の軸方向基準線Ｌ（図示の方向）が定義される。ファンモジュール２の放熱ファン２２には一個のファンフレーム２２１が含まれ、ファンフレーム２２１の内部には一個のファンホイール２２２が設けられる。ファンホイール２２２は一個のモーターによって回動するように駆動され、ファンフレーム２２１の底端縁には一個の径方向延伸部２２３が形成される。径方向延伸部２２３はファンモジュール２の軸方向基準線Ｌに関する径方向（径方向とは軸方向基準線Ｌと垂直になる方向を指す）に向かって延伸するように形成される。これにより、風道４は径方向延伸部２２３とハウジング１の組立口１１および導風壁１３の間に形成され、そして径方向延伸部２２３と放熱器２２の間には一個の導風口２２１ａが形成される。導風口２２１ａはファンフレーム２２１を通じてハウジング１の内部まで連通するように形成される。
【００２９】
上述した「径方向風進入と径方向風排出」の実施形態に基づいて、ファンモジュール２の軸方向基準線Ｌの径方向において、風道４は径方向風進入口または径方向風排出口として形成され、そしてファンフレーム２２１の導風口２２１ａは風道４に対応するように径方向風排出口または径方向風進入口として形成される。例えば、風道４が径方向風進入口として形成される時、導風口２２１ａは径方向風排出口として形成される。一方、風道４が径方向風排出口として形成される時、導風口２２１ａは径方向風進入口として形成される。さらに詳しく言えば、図２に示すように、ファンモジュール２のファンホイール２２２が回動する過程において、外部の空気を風道４（径方向風進入口として）を経由してハウジング１とファンフレーム２２１の内部まで導入し、それからさらに気流を導風口２２１ａ（径方向風排出口として）から導出し、そして放熱器２１を通過させることによって発光ダイオード３から生じられる高温を低く下げることができる。
【００３０】
図３は本発明のＬＥＤランプの「軸方向風進入と径方向風排出（または径方向風進入と軸方向風排出）」の実施形態の組み立てられた状態の断面図である。図３を参照すると、本実施形態においても同様にファンモジュール２に一個の軸方向基準線Ｌ（図示の方向）が定義される。ファンモジュール２の放熱ファン２２には一個のファンフレーム２２１が含まれ、ファンフレーム２２１の内部には一個のファンホイール２２２が設けられる。ファンホイール２２２は一個のモーターによって回動するように駆動され、ファンフレーム２２１の底端縁には一個の径方向延伸部２２３が形成される。径方向延伸部２２３はファンモジュール２の軸方向基準線Ｌの径方向（径方向とは軸方向基準線Ｌと垂直になる方向を指す）に向かって延伸するように形成される。これにより、風道４は径方向延伸部２２３とハウジング１の組立口１１および導風壁１３の間に形成され、またファンフレーム２２１の内周面と放熱器２１の間には一個の導風口２２１ａが形成される。導風口２２１ａはファンフレーム２２１を通じてハウジング１の内部まで連通するように形成される。
【００３１】
上述した「軸方向風進入と径方向風排出（または径方向風進入と軸方向風排出）」の実施形態に基づいて、ファンモジュール２の軸方向基準線Ｌの径方向において、風道４は径方向風進入口または径方向風排出口として形成され、そしてファンモジュール２の軸方向基準線Ｌの軸方向において、ファンフレーム２２１の導風口２２１ａは風道４に対応するように軸方向風排出口または軸方向風進入口として形成される。例えば、風道４が径方向風進入口として形成される時、導風口２２１ａは軸方向風排出口として形成される。一方、風道４が径方向風排出口として形成される時、導風口２２１ａは軸方向風進入口として形成される。さらに詳しく言えば、図３に示すように、ファンモジュール２のファンホイール２２２が回動する過程において、外部の空気を風道４（径方向風進入口として）を経由してハウジング１とファンフレーム２２１の内部まで導入し、それからさらに気流を導風口２２１ａ（軸方向風排出口として）から導出し、そして放熱器２１を通過することによって発光ダイオード３から生じられる高温を低く下げることができる。また、ファンホイール２２２の回動の方向が反対になると、外部の空気を導風口２２１ａ（軸方向風進入口として）を経由してファンフレーム２２１とハウジング１の内部まで導入し、それからさらに気流を風道４（径方向風排出口として）から導出することにより、同様に発光ダイオード３から生じられる高温を低く下げることができる。
【００３２】
本発明のＬＥＤランプの風道４も選択的に軸方向風進入口または軸方向風排出口として変えることができ、そして導風口２２１ａも同様に風道４に対応するように軸方向風排出口または軸方向風進入口（図示せず）として変えることができる。しかし、「軸方向風進入と軸方向風排出」の実施形態では、風進入と風排出の過程において乱流の現象が生じ易いため、本発明のＬＥＤランプでは依然として上述した「径方向風進入と径方向風排出」、「軸方向風進入と径方向風排出（または径方向風進入と軸方向風排出）」などの実施形態を好ましい実施形態とする。
【００３３】
また、上述した「径方向風進入と径方向風排出」、「軸方向風進入と径方向風排出（または径方向風進入と軸方向風排出）」などの実施形態においては、好ましくは他に一個の透光カバー５が設けられる。図２の実施形態を例に説明すると、透光カバー５はファンモジュール２の放熱器２１に結合される。透光カバー５はファンモジュール２と結合することによってハウジング１の組立口１１と導風壁１３の間と共同で風道４を形成することができる。その他に、透光カバー５には一個の開口部５１が含まれ、発光ダイオード３は開口部５１を通じて透光カバー５の内部に収容される。これにより、発光ダイオード３は透光カバー５を通じて光を投射することができ、また透光カバー５は使用上の要求に応じて異なる色または種類のカバーを選択することにより、異なる光の効果を獲得することができる。他に、透光カバー５によって発光ダイオード３を保護することができる。全体から言えば、上述した技術的特徴によって光の投射の効果を高めることができるとともに、発光ダイオード３を保護することができる。
【００３４】
上述のように、本発明のＬＥＤランプによれば、ハウジング１において他にいかなる風進入口または風排出口も設ける必要性がなく、直接ハウジング１とファンモジュール２の間の風道４の構造の設計を利用して風進入または風排出を提供することができるため、全体的な構造の複雑性を有効に低く抑えることができ、さらに加工の便利性を高め、製造コストを低く抑えることができるとともに、外観の統合性と全体の美観性を維持することができる。また、本発明のＬＥＤランプを嵌入内蔵式で取り付けを行う場合、風道４の設計を利用し、ファンモジュール２によって気流を導引して放熱を行うのを確保することができるため、ＬＥＤランプの使用寿命を有効に高めることができる。
【００３５】
本発明は、その精神及び必須の特徴事項から逸脱することなく他のやり方で実施することができる。従って、本明細書に記載した好ましい実施例は例示のなものであり、限定を意図するものではない。
【符号の説明】
【００３６】
１    ハウジング
１１    組立口
１２    電気連接部
１３    導風壁
２    ファンモジュール
２１    放熱器
２２    放熱ファン
２２１    ファンフレーム
２２１ａ    導風口
２２２    ファンホイール
２２３    径方向延伸部
３    発光ダイオード
４    風道
５    透光カバー
５１    開口部
８    ＬＥＤランプ
８１    ハウジング
８１１    第一ハウジング体
８１    ハウジング
８１１    第一ハウジング体
８１１ａ    風排出部
８１２    第二ハウジング体
８１２ａ    風進入部
８２    放熱器
８３    発光部材
８４    放熱ファン
９    ＬＥＤランプ
９１    ハウジング
９１１    上ハウジング
９１１ａ    通気孔
９１２    下ハウジング
９１２ａ    貫穿孔
９２    放熱器
９３    ファン
９４    ＬＥＤランプユニット
９５    通気路
Ｌ    軸方向基準線
【図１】
0005227445.tif 000002
【図２】
0005227445.tif 000003
【図３】
0005227445.tif 000004
【図４】
0005227445.tif 000005
【図５】
0005227445.tif 000006